(57)【要約】【課題】本発明は交換式横挿しＬＥＤダウンライト構造を提供する。【解決手段】本発明の交換式横挿しＬＥＤダウンライト構造は、ＬＥＤ、回転アーム、ドライバカバー、ソケットおよび方向調整つまみを含み、ＬＥＤは反射笠内に配置し、ドライバカバー内部にはドライバを設け、ドライバとＬＥＤは電気的接続し、回転アーム前端と反射笠は垂直に接続し、後端をドライバカバーの前端に冠着して、ドライバカバーの末端にソケットを設け、かつソケットとドライバは電気的接続する。方向調整つまみを回転アーム上に設け、回し締めると回転アームとドライバカバーが固定され、方向調整つまみを弛めると回転アームはドライバカバー上で回転して照射角度が調整できる。【選択図】図２
2013101814.tif 000002
【特許請求の範囲】
【請求項１】
内部に少なくとも１つのＬＥＤを配置した反射笠と、
内部にドライバを設け、前記ドライバと前記ＬＥＤは電気的接続するドライバカバーと、
回転アームであって、その前端と前記反射笠が垂直に接続し、後端が前記ドライバカバーの前端に冠着する回転アームと、
前記ドライバカバーの末端に設けられ、かつ前記ドライバと電気的接続するソケットと、
前記回転アーム上に設けられ、前記回転アームと前記ドライバカバーを固定するのに用い、弛めて前記ドライバカバー上の前記回転アームのを回転させて照射角度を調整する方向調整つまみと、
を含むことを特徴とする交換式横挿しＬＥＤダウンライト構造。
【請求項２】
前記反射笠はレンズによって封止することを特徴とする、請求項１に記載の交換式横挿しＬＥＤダウンライト構造。
【請求項３】
前記反射笠上に支持盤を更に設け、前記ＬＥＤおよび前記反射笠は前記支持盤上に固定することを特徴とする、請求項１に記載の交換式横挿しＬＥＤダウンライト構造。
【請求項４】
前記支持盤の外部に少なくとも１つの差し込みが露出し、前記回転アーム上には少なくとも１つの固定孔を設け、前記差し込みは前記固定孔に挿入して回転固定することを特徴とする、請求項３に記載の交換式横挿しＬＥＤダウンライト構造。
【請求項５】
前記回転アームの前端に結合部を設けることを特徴とする、請求項１に記載の交換式横挿しＬＥＤダウンライト構造。
【請求項６】
前記反射笠上に支持盤を設け、前記ＬＥＤを前記支持盤上に固定し、前記支持盤の外部に少なくとも１つの差し込みが露出し、前記結合部上に少なくとも１つの固定孔を設け、前記差し込みを前記固定孔に挿入して回転固定することを特徴とする、請求項５に記載の交換式横挿しＬＥＤダウンライト構造。
【請求項７】
前記ソケットを対応するソケットホルダー中に挿入または螺入して供給電力を取得するとを特徴とする、請求項１に記載の交換式横挿しＬＥＤダウンライト構造。
【発明の詳細な説明】
【技術分野】
【０００１】
本発明はダウンライト構造に関するものであって、特に交換式横挿しＬＥＤダウンライト構造に関するものである。
【背景技術】
【０００２】
マンションでは、部屋の天井が比較的低く、室内空間の高さを確保するため、多くの住戸では既に吊り下げ型のライトや蛍光灯は使用されておらず、ライトは天井に埋め込まれている。ダウンライトは、蛍光灯に必要とされる蛍光灯器具の分の高さがなく、埋め込む場所、数、照射角度等の条件を自由に選ぶことができ、コンパクトな美観を有し、洒落た感じがする。
【０００３】
現在住宅で使用されているダウンライトは、標準型ダウンライトとＬＥＤダウンライトの２種類に分けられる。標準型ダウンライトの光源の多くは白熱灯、ＰＬ管および螺旋状の電球形蛍光灯等であり、これらは多方向に発光するため、ダウンライトに使用される場合、照明器具の下方に出射されるだけで、照明器具内に照射された残りの光線は反射板に反射するが、その効率は既に低下しており、理想に適わない。しかし、標準型ダウンライトの電球は故障時に単独で新しい電球に交換し、照明器具の使用を継続できる。
【０００４】
ＬＥＤダウンライトは使い捨てタイプであり、光源（ＬＥＤ）、照明器具、放熱フィン、ドライバを一体化し、ＬＥＤは単一方向照射の特色を有するため、全光照射の最大効果を発揮できる。ＬＥＤダウンライト照明器具は縦挿しタイプと横挿しタイプの２種類あり、縦挿しタイプより横挿しタイプの方が高さがなく、空間制限のために、横挿しタイプが普遍的に使用されている。しかし、ＬＥＤを横挿しタイプのダウンライト照明器具に差し込んだとき、その照射面は必ずしも照明器具の出射口にあるわけではない。また、ＬＥＤ或いはドライバが故障した場合、ダウンライトを丸ごと廃棄しなければならないので、使い捨てタイプのダウンライトはスリムで放熱効果もあるが、専門の電気工事業者に交換を頼む必要があり、人的コストもＬＥＤ照明器具のコストも高くつく。更に、一定期間を過ぎてＬＥＤの寿命が尽き、該当する型番のダウンライトが既に生産停止されている場合、消費者はダウンライトの交換ができない。他にも、一般的なダウンライトは垂直に天井に埋め込むが、図１が示すように、ダウンライトの後端を天井に隠してレンズ面だけを露出させるので、天井の高さを下げなければ、ダウンライト後端を隠して天井の美観を保つことができず、もともと天井が高くない室内空間をより狭くし、窒息感が充満する。
【発明の概要】
【発明が解決しようとする課題】
【０００５】
したがって本発明は、上述の問題を克服すべく、室内空間の高さを確保する交換式横挿しＬＥＤダウンライト構造を提案する。本発明の主な目的は、取り外し可能な反射笠、回転アーム、ドライバカバーおよびソケットからなり、ＬＥＤの寿命が尽きた場合またはドライバが故障した場合、単独で新しいＬＥＤまたはドライバに交換でき、ダウンライトを丸ごと交換する必要がなく、交換の支出を抑えられる交換式横挿しＬＥＤダウンライト構造を提供することにある。
【０００６】
本発明のもう１つの目的は、回転アームをドライバカバー上の一定範囲内で回転させＬＥＤの照射角度を調整でき、好みの角度に調整した後、方向調整つまみを締めて回転アームをドライバカバー上に固定し、回転アームが回転のせいで変形して弛まないようににし、しっかりと角度を固定できる交換式横挿しＬＥＤダウンライト構造を提供することにある。
【課題を解決するための手段】
【０００７】
上述の目的を達成するために、本発明の提供する交換式横挿しＬＥＤダウンライト構造は、内部にＬＥＤを配置した反射笠と、内部にＬＥＤと電気的接続するドライバを設けたドライバカバーと、前端に反射笠と垂直接続する結合部を設けて後端をドライバカバーの前端に冠着する回転アームと、ドライバカバーの末端に設けてドライバと電気的接続するソケットと、回転アーム上に設け、つまみを回し弛めて回転アームとドライバカバーを固定するのに用い、ドライバカバー上の回転アームを回転させて照射角度を調整する方向調整つまみと、を含む。
【発明の効果】
【０００８】
本発明の提供する交換式横挿しＬＥＤダウンライト構造は、組み立て、取り外し、照射角度の調整が可能なＬＥＤダウンライトであり、横挿しタイプの設計により、天井が比較的低いマンションの室内に対応でき、内部空間を節約し、取り付け・取り外しが簡単なので専門の電気工事業者に施工を頼む必要がなく、修理も容易で、手入れがし易く、一般の人でも自分で楽に照射角度の調整が行えて、使用に便利である。
【図面の簡単な説明】
【０００９】
【図１】先行技術のダウンライト構造の断面図。
【図２】本発明交換式横挿しＬＥＤダウンライト構造の実施例の斜視図。
【図３】本発明交換式横挿しＬＥＤダウンライト構造の実施例の斜視図。
【図４】図３の分解図。
【図５】図２の底面図。
【図６】図２の右側面図。
【図７】右側面図によって反射笠の回転を示す図。
【図８】正面図によって反射笠の回転を示す図。
【図９】フード中に設けた本発明交換式横挿しＬＥＤダウンライト構造を示す図。
【図１０】本発明交換式横挿しＬＥＤダウンライト構造のもう１つ実施例の斜視図。
【図１１】本発明交換式横挿しＬＥＤダウンライト構造のもう１つ実施例の分解図。
【図１２】本発明交換式横挿しＬＥＤダウンライト構造のもう１つ実施例の右側面図。
【図１３】本発明交換式横挿しＬＥＤダウンライト構造の更に別の実施例の斜視図。
【図１４】本発明交換式横挿しＬＥＤダウンライト構造の更に別の実施例の分解図。
【図１５】本発明交換式横挿しＬＥＤダウンライト構造の更に別の実施例の右側面図。
【発明を実施するための形態】
【００１０】
本発明の目的、技術内容、特徴、達成する効果の更なる理解のために、以下に具体的な実施例を挙げて詳しく説明する。
【実施例】
【００１１】
本発明は交換式横挿しＬＥＤダウンライト構造を提供する。図２乃至図６を同時に参照されたい。図２及び図３は本発明交換式横挿しＬＥＤダウンライト構造の実施例の斜視図であり、図４はこの実施例の分解図であり、図５はこの実施例の底面図、図６はこの実施例の右側面図である。
【００１２】
本発明の交換式横挿しＬＥＤダウンライト構造１０は、回転アーム１２、結合部１４、支持盤１６、ＬＥＤ１７、反射笠１８、ドライバカバー２０、ソケット２４および方向調整つまみ２６を含む。回転アーム１２の前端に結合部１４を設置し、後端をドライバカバー２０に冠着し、結合部１４と回転アーム１２は一体成型または接着固定される。支持盤１６を反射笠１８上に設け、ＬＥＤ１７および反射笠１８を支持盤１６上に固定し、支持盤１６上には更に少なくとも１つの突出した差し込み３０を備え、差し込み３０は結合部１４上の固定孔を貫通して回転固定する。反射笠１８内にはＬＥＤ１７を設け、反射笠１８の開口はレンズ２８で封止され、このレンズ２８はガラスまたはプラスチックであり、図６からわかるようにレンズ２８は弧面であり光線が散光する。
【００１３】
ドライバカバー２０内にドライバ２２を設け、ソケット２４とドライバカバー２０の末端を接続し、かつ図６からわかるように、ドライバ２２とソケット２４は電気的接続し、ＬＥＤ１７とドライバ２２も電気的接続するので、ソケット２４が電力を得たとき、ドライバ２２はＬＥＤ１７を起動して発光させる。
【００１４】
方向調整つまみ２６は回転アーム１２上に設け、回転アーム１２はドライバカバー２０に冠着するので、方向調整つまみ２６をしっかり締めたときドライバカバー２０はきつく保持され、回転アーム１２はドライブカバー２０上に固定される。方向調整つまみ２６を弛めたとき、図７および図８が示すように、回転アーム１２を一定範囲内で回転してＬＥＤ照射角度を変え、角度確定後に方向調整つまみ２６をきつく締めて、この照射角度を固定する。本発明における調整角度の範囲は約３５０度前後である。
【００１５】
図９は本発明の交換式横挿しＬＥＤダウンライト構造１０をフード内に設けた実施例を示す図である。フード３２をブラケット３４上に固定し、かつフード３２上にソケットホルダー３６を貫設し、交換式横挿しＬＥＤダウンライト構造１０のソケット２４はソケットホルダー３６にねじ込んで螺入して電気的接続を完成する。
【００１６】
本発明におけるソケット４０およびソケット受けはどちらも現在市販されている標準的製品である。図１０、図１１、および図１２はそれぞれ、本発明の交換式横挿しＬＥＤダウンライト構造のもう１つの実施例の斜視図、分解図および右側面図であり、図中からわかるように、図１０と図２の差異は、ソケット４０は別の異なる規格のソケットであり、異なる規格のソケットホルダー中に挿入して供給電力を取得し、ドライバ２２とソケット４２は電気的接続しＬＥＤ１７を駆動するところにある。
【００１７】
図１３、図１４および図１５はそれぞれ、本発明の交換式横挿しＬＥＤダウンライト構造の更に別の実施例の斜視図、分解図および右側面図であり、図中からわかるように、図１３と図２および図１０の差異は、ソケット４２は異なる規格のソケットであり、異なる規格のソケット中に挿入して供給電力を取得し、ドライバ２２とソケット４２は電気的接続しＬＥＤ１７を駆動するところにある。
【００１８】
このように、本発明の交換式横挿しＬＥＤダウンライト構造の組み立て方法は、まず異なるソケットホルダーに対応する規格のソケットを選び、回転アームを組み付けるとともに角度を調整し、照射角度確認後に方向調整つまみをきつく締め、更に反射笠およびＬＥＤを組み付けるものである。
【００１９】
以上に述べた内容は、本発明の好ましい実施例に過ぎず、本発明の実施範囲を限定するものではない。本発明の精神から離れない範囲で加えた変更や潤色は全て、本発明の特許保護範囲内に属するものとする。
【符号の説明】
【００２０】
１０  交換式横挿しＬＥＤダウンライト構造 
１２  回転アーム  
１４  結合部  
１６  支持盤  
１７  ＬＥＤ
１８  反射笠  
２０  ドライバカバー
２２  ドライバ 
２４  ソケット
２６  方向調整つまみ  
２８  レンズ
３０  差し込み
３２  フード
３４  ブラケット  
３６  ソケットホルダー  
４０、４２  ソケット
【図１】
2013101814.tif 000003
【図２】
2013101814.tif 000004
【図３】
2013101814.tif 000005
【図４】
2013101814.tif 000006
【図５】
2013101814.tif 000007
【図６】
2013101814.tif 000008
【図７】
2013101814.tif 000009
【図８】
2013101814.tif 000010
【図９】
2013101814.tif 000011
【図１０】
2013101814.tif 000012
【図１１】
2013101814.tif 000013
【図１２】
2013101814.tif 000014
【図１３】
2013101814.tif 000015
【図１４】
2013101814.tif 000016
【図１５】
2013101814.tif 000017